【事件の表示】
　特願２０１３−５２０７３３「記憶された値を使用して、適格性のある商品またはサービスの購入取引を実行するためのシステムと方法」拒絶査定不服審判事件〔平成２４年　１月２６日国際公開、ＷＯ２０１２／０１２２１２、平成２５年１０月　３日国内公表、特表２０１３−５３７６６７〕について、次のとおり審決する。
【結　論】
　本件審判の請求は、成り立たない。
【理　由】
第１ 手続の経緯
　本願は，２０１１年（平成２３年）７月１１日（パリ条約による優先権主張外国庁受理２０１０年７月１９日，米国）を国際出願日とする出願であって，平成２６年３月１１日付けで拒絶の理由が通知され、これに対して、平成２６年６月１６日に意見書及び手続補正書が提出され、平成２６年９月２４日付けで最後の拒絶の理由が通知され、これに対して、平成２７年１月２７日に意見書及び手続補正書が提出されたが、平成２７年３月３日付けで、平成２７年１月２７日付けの手続補正が却下されると共に拒絶査定がなされ、同査定の謄本は同年３月１０日に請求人に送達された。これに対して、同年７月１０日に拒絶査定不服審判の請求がなされ、同時に手続補正がなされ、同年８月２８日付けで前置報告書が作成され、平成２８年１月５日付けで上申書が提出され、同年５月１８日付けで拒絶の理由が通知され、同年７月１４日付けで意見書及び手続補正書が提出されたものである。
第２ 平成２８年７月１４日にされた手続補正の検討
１． 本件補正について
（１）平成２８年７月１４日にされた手続補正（以下、「本件補正」という。）により、特許請求の範囲は、次のとおり補正された（下線部は、補正箇所を示す。）。
「【請求項１】
　商品またはサービスの購入取引を実行する方法において、
　前記商品またはサービスは、適格性のある商品またはサービスを含み、
　前記購入取引は、ポイントオブセー
ルに
　前記記憶値は、前記適格性のある商品またはサービスの購入に対して引き換え可能であり、
　前記方法では、
ポイントオブセール（「
」）
　データベースは、前記しるしと、前記適格性のある商品またはサービスとに関係付けられた記録を含み、
　前記方法は、
　　購入のために選択された商品またはサービスの識別子と、
　　前記記憶値に関係付けられた前記しるしと、
　を含む購入通信を、前記ＰＯＳ端末から、前記中央プロセッサにおいて受信することと、
　前記しるしが有効であるか否かを決定することと、
　購入のために選択された商品またはサービスが、前記識別子のうちの１つ以上が適格性のある商品またはサービスとして前記データベースにおいて前記しるしに関係付けられているか否かを決定することによって、前記識別子のうちの１つ以上に少なくとも部分的に基づいて、適格性のある商品またはサービスを含むか否かを決定し、購入のために選択された商品またはサービスが、適格性のある商品またはサービスを含む場合は、
前記適格性のある商品またはサービスの各々の価格を前記中央プロセッサによって決定し、
　前記しるしに関係付けられた前記記憶値が、前記適格性のある商品またはサービスの購入のために十分であるか否かを決定し、前記しるしに関係付けられた前記記憶値が、前記適格性のある商品またはサービスの購入のために十分である場合は、前記適格性のある商品またはサービスの購入に対して前記記憶値を適用することと、
　前記記憶値を用いて購入された適格性のある商品またはサービスの総額を含む情報を、前記ＰＯＳ端末に提供することと、
　を含む、方法。
　　【請求項２】
　前記記憶値は、前記適格性のある商品またはサービスの購入のため以外には、前記購入者によってアクセス不可能である、請求項１記載の方法。
　　【請求項３】
　前記記憶値に関係付けられた前記しるしは、機械読取可能なフォーマットである、請求項１記載の方法。
　　【請求項４】
　前記機械読取可能なフォーマットは、磁気ストライプと、バーコードと、無線周波数識別（ＲＦＩＤ）タグと、マイクロドットとからなるグループから選択される、請求項３記載の方法。
　　【請求項５】
　購入のために選択された商品またはサービスが、適格性のある商品またはサービスを含むか否かを決定するステップは、
　適格性のある商品またはサービスのデータベースにアクセスすることと、
　前記購入のために選択された商品またはサービスの識別子と、前記適格性のある商品またはサービスのデータベースの識別子とを比較することと、
　を含む、請求項１記載の方法。
　　【請求項６】
　前記しるしに関係付けられた前記記憶値が、前記適格性のある商品またはサービスの購入のために十分であるか否かを決定するステップは、
　前記しるしに関連付けられた記録を含むデータベースにアクセスすることと、
　前記しるしに関係付けられた前記値を決定することと、
　前記適格性のある商品またはサービスの購入のために要求される総額と、前記しるしに関係付けられた前記値とを比較して、前記しるしに関係付けられた前記記憶値が、前記適格性のある商品またはサービスの購入のために要求される総額以上である場合は、前記しるしに関係付けられた前記記憶値は十分であると決定することと、
　を含む、請求項１記載の方法。
　　【請求項７】
　前記適格性のある商品またはサービスの購入に対して前記記憶値を適用するステップは、
　前記記憶値を保持するアカウントを維持する関係者と通信して、前記適格性のある商品またはサービスの購入のために要求される総額に等しい額における支払を要求すること、
　を含む、請求項１記載の方法。
　　【請求項８】
　商品またはサービスの購入取引を実行する方法において、
　前記商品またはサービスは、適格性のある商品またはサービスを含み、
　前記購入取引は、ポイントオブセー
ルに
　前記記憶値は、前記適格性のある商品またはサービスの購入に対して引き換え可能であり、
　前記方法は、
ポイントオブセール（「
」）
　データベースは、前記しるしと、前記適格性のある商品またはサービスとに関係付けられた記録を含み、
　前記方法は、
　前記ＰＯＳ端末から、前記記憶値に関係付けられた前記しるしを含む購入通信を、
中央
　前記しるしが有効であるか否かを決定することと、
　購入のために選択された商品またはサービスが、少なくとも部分的に、前記しるしに関係付けられた前記データベースにおける記録と、前記購入のために選択された商品またはサービスの識別子を比較することによって、適格性のある商品またはサービスを含むか否かを決定し、購入のために選択された商品またはサービスが、適格性のある商品またはサービスを含む場合は、
前記適格性のある商品またはサービスの各々の価格を前記中央プロセッサによって決定し、
　前記しるしに関係付けられた前記記憶値が、前記適格性のある商品またはサービスの購入のために十分であるか否かを決定して、前記しるしに関係付けられた前記記憶値が、前記適格性のある商品またはサービスの購入のために十分である場合は、前記適格性のある商品またはサービスの購入に対して前記記憶値を適用することと、
　　
ここで、前記しるしに関係付けられた前記記憶値が、前記適格性のある商品またはサービスの購入のために十分であるか否かを決定することは、
　　前記しるしに関連する記録を含むデータにアクセスすることと、
　　前記しるしに関係付けられた前記値を決定することと、
　　前記しるしに関係付けられた前記値を、前記適格性のある商品またはサービスの購入のために要求される値の総額と比較することとを含み、
　前記しるしに関係付けられた前記記憶値が、前記適格性のある商品またはサービスの購入のために要求される値の総額より多いまたは等しい場合は、前記しるしに関係付けられた前記記憶値が十分であると決定することと、
　前記しるしに関係付けられた前
記値
ポイントオブセール
記値
　前記記憶値を用いて購入された適格性のある商品またはサービスの総額を含む情報を、前記ＰＯＳ端末に提供することと、
　
適格性のない商品またはサービスである、何らかの商品またはサービスの購入に対して、前記購入者によって提供された追加の資金供給源を使用することと、
　を含む、方法。
　　【請求項９】
　前記記憶値は、前記適格性のある商品またはサービスの購入のため以外には、前記購入者によってアクセス不可能である、請求項８記載の方法。
　　【請求項１０】
　前記しるしが有効であるか否かを決定するステップをさらに含む、請求項８記載の方法。
　　【請求項１１】
　前記適格性のある商品またはサービスの購入のために要求される値の総額を決定するステップは、
　前記
ポイントオブセール
　それぞれの適格性のある商品またはサービスに対する前記購入価格を合計することと、
　を含む、請求項８記載の方法。」
（２）本件補正前の、平成２７年７月１０日付の手続補正による特許請求の範囲の記載は次のとおりである。
「【請求項１】
　商品またはサービスの購入取引を実行する方法において、
　前記商品またはサービスは、適格性のある商品またはサービスを含み、
　前記購入取引は、ポイントオブセール（ＰＯＳ）端末において購入者によって提示されたしるしに関係付けられた記憶値によって、少なくとも部分的に資金供給され、
　前記記憶値は、前記適格性のある商品またはサービスの購入に対して引き換え可能であり、
　前記方法では、前記ＰＯＳ端末と選択的な通信をする中央プロセッサによって取引が行われ、
　データベースは、前記しるしと、前記適格性のある商品またはサービスとに関係付けられた記録を含み、
　前記方法は、
　　購入のために選択された商品またはサービスの識別子と、
　　前記記憶値に関係付けられた前記しるしと、
　を含む購入通信を、前記ＰＯＳ端末から、前記中央プロセッサにおいて受信することと、
　前記しるしが有効であるか否かを決定することと、
　購入のために選択された商品またはサービスが、前記識別子のうちの１つ以上が適格性のある商品またはサービスとして前記データベースにおいて前記しるしに関係付けられているか否かを決定することによって、前記識別子のうちの１つ以上に少なくとも部分的に基づいて、適格性のある商品またはサービスを含むか否かを決定し、購入のために選択された商品またはサービスが、適格性のある商品またはサービスを含む場合は、前記適格性のある商品またはサービスの購入のために要求される額を合計することと、
　前記しるしに関係付けられた前記記憶値が、前記適格性のある商品またはサービスの購入のために十分であるか否かを決定し、前記しるしに関係付けられた前記記憶値が、前記適格性のある商品またはサービスの購入のために十分である場合は、前記適格性のある商品またはサービスの購入に対して前記記憶値を適用することと、
　前記記憶値を用いて購入された適格性のある商品またはサービスの総額を含む情報を、
前記ＰＯＳ端末に提供することと、
　を含む、方法。
　　【請求項２】
　前記記憶値は、前記適格性のある商品またはサービスの購入のため以外には、前記購入者によってアクセス不可能である、請求項１記載の方法。
　　【請求項３】
　前記記憶値に関係付けられた前記しるしは、機械読取可能なフォーマットである、請求項１記載の方法。
　　【請求項４】
　前記機械読取可能なフォーマットは、磁気ストライプと、バーコードと、無線周波数識別（ＲＦＩＤ）タグと、マイクロドットとからなるグループから選択される、請求項３記載の方法。
　　【請求項５】
　購入のために選択された商品またはサービスが、適格性のある商品またはサービスを含むか否かを決定するステップは、
　適格性のある商品またはサービスのデータベースにアクセスすることと、
　前記購入のために選択された商品またはサービスの識別子と、前記適格性のある商品またはサービスのデータベースの識別子とを比較することと、
　を含む、請求項１記載の方法。
　　【請求項６】
　前記しるしに関係付けられた前記記憶値が、前記適格性のある商品またはサービスの購入のために十分であるか否かを決定するステップは、
　前記しるしに関連付けられた記録を含むデータベースにアクセスすることと、
　前記しるしに関係付けられた前記記憶値を決定することと、
　前記適格性のある商品またはサービスの購入のために要求される総額と、前記しるしに関係付けられた前記記憶値とを比較して、前記しるしに関係付けられた前記記憶値が、前記適格性のある商品またはサービスの購入のために要求される総額以上である場合は、前記しるしに関係付けられた前記記憶値は十分であると決定することと、
　を含む、請求項１記載の方法。
　　【請求項７】
　前記適格性のある商品またはサービスの購入に対して前記記憶値を適用するステップは、
　前記記憶値を保持するアカウントを維持する関係者と通信して、前記適格性のある商品またはサービスの購入のために要求される総額に等しい額における支払を要求すること、
　を含む、請求項１記載の方法。
　　【請求項８】
　商品またはサービスの購入取引を実行する方法において、
　前記商品またはサービスは、適格性のある商品またはサービスを含み、
　前記購入取引は、ポイントオブセール（ＰＯＳ）端末において購入者によって提示されたしるしに関係付けられた記憶値によって、少なくとも部分的に資金供給され、
　前記記憶値は、前記適格性のある商品またはサービスの購入に対して引き換え可能であり、
　前記方法は、前記ＰＯＳ端末と選択的な通信をするコンピュータ化されたプロセッサによって実行され、
　データベースは、前記しるしと、前記適格性のある商品またはサービスとに関係付けられた記録を含み、
　前記方法は、
　前記ＰＯＳ端末から、前記記憶値に関係付けられた前記しるしを含む購入通信を、前記コンピュータ化されたプロセッサにおいて受信することと、
　前記しるしが有効であるか否かを決定することと、
　購入のために選択された商品またはサービスが、少なくとも部分的に、前記しるしに関係付けられた前記データベースにおける記録と、前記購入のために選択された商品またはサービスの識別子を比較することによって、適格性のある商品またはサービスを含むか否かを決定し、購入のために選択された商品またはサービスが、適格性のある商品またはサービスを含む場合は、前記適格性のある商品またはサービスの購入のために要求される値の額を合計することと、
　前記しるしに関係付けられた前記記憶値が、前記適格性のある商品またはサービスの購入のために十分であるか否かを決定して、前記しるしに関係付けられた前記記憶値が、前記適格性のある商品またはサービスの購入のために十分である場合は、前記適格性のある商品またはサービスの購入に対して前記記憶値を適用することと、
　前記しるしに関係付けられた前記記憶値の額が、前記適格性のある商品またはサービスの購入のために要求される値の総額より少ない場合は、不足を前記ＰＯＳ端末に通知し、前記しるしに関係付けられた前記記憶値の額に対して、前記購入取引を実行することと、　前記記憶値を用いて購入された適格性のある商品またはサービスの総額を含む情報を、前記ＰＯＳ端末に提供することと、
　を含む、方法。
　　【請求項９】
　前記記憶値は、前記適格性のある商品またはサービスの購入のため以外には、前記購入者によってアクセス不可能である、請求項８記載の方法。
　　【請求項１０】
　前記しるしが有効であるか否かを決定するステップをさらに含む、請求項８記載の方法。
　　【請求項１１】
　前記適格性のある商品またはサービスの購入のために要求される値の総額を決定するステップは、
　前記ＰＯＳ端末からそれぞれの適格性のある商品またはサービスに対する購入価格を受信することと、
　それぞれの適格性のある商品またはサービスに対する前記購入価格を合計することと、
　を含む、請求項８記載の方法。」
　
（３）本件補正は、請求項１，８および１１について以下のア〜ウのように補正している。
ア　本件補正前の請求項１について、「ポイントオブセール（ＰＯＳ）端末において購入者によって提示されたしるし」という記載を「ポイントオブセー
ルに
ポイントオブセール（「
」）
前記適格性のある商品またはサービスの各々の価格を前記中央プロセッサによって決定し、
イ　本件補正前の請求項８について、「ポイントオブセール（ＰＯＳ）端末において購入者によって提示されたしるし」という記載を「ポイントオブセー
ルに
ポイントオブセール（「
」）
前記適格性のある商品またはサービスの各々の価格を前記中央プロセッサによって決定し、
前記しるしに関係付けられた前記記憶値が、前記適格性のある商品またはサービスの購入のために十分であるか否かを決定すること
ここで、前記しるしに関係付けられた前記記憶値が、前記適格性のある商品またはサービスの購入のために十分であるか否かを決定することは、
　　前記しるしに関連する記録を含むデータにアクセスすることと、
　　前記しるしに関係付けられた前記値を決定することと、
　　前記しるしに関係付けられた前記値を、前記適格性のある商品またはサービスの購入のために要求される値の総額と比較することとを含み
記値
ポイントオブセール
記値
前記しるしに関係付けられた前記記憶値が、前記適格性のある商品またはサービスの購入のために要求される値の総額より多いまたは等しい場合は、前記しるしに関係付けられた前記記憶値が十分であると決定することと、
適格性のない商品またはサービスである、何らかの商品またはサービスの購入に対して、前記購入者によって提供された追加の資金供給源を使用することと
ウ　本件補正前の請求項１１について、「前記ＰＯＳ端末からそれぞれの適格性のある商品またはサービスに対する購入価格を受信すること」という記載を「前記
ポイントオブセール
　また、本件補正は、新規事項を追加するものではないから特許法第１７条の２第３項の要件を満たしているといえる。
第３ 本願発明の特許要件についての検討
１．本願発明
　平成２８年７月１４日付け手続補正書による補正後の本願の請求項１に係る発明（以下、「本願発明」という。）は、以下の通りのものである。
「【請求項１】
　商品またはサービスの購入取引を実行する方法において、
　前記商品またはサービスは、適格性のある商品またはサービスを含み、
　前記購入取引は、ポイントオブセー
ルに
　前記記憶値は、前記適格性のある商品またはサービスの購入に対して引き換え可能であり、
　前記方法では、
ポイントオブセール（「
」）
　データベースは、前記しるしと、前記適格性のある商品またはサービスとに関係付けられた記録を含み、
　前記方法は、
　　購入のために選択された商品またはサービスの識別子と、
　　前記記憶値に関係付けられた前記しるしと、
　を含む購入通信を、前記ＰＯＳ端末から、前記中央プロセッサにおいて受信することと、
　前記しるしが有効であるか否かを決定することと、
　購入のために選択された商品またはサービスが、前記識別子のうちの１つ以上が適格性のある商品またはサービスとして前記データベースにおいて前記しるしに関係付けられているか否かを決定することによって、前記識別子のうちの１つ以上に少なくとも部分的に基づいて、適格性のある商品またはサービスを含むか否かを決定し、購入のために選択された商品またはサービスが、適格性のある商品またはサービスを含む場合は、
前記適格性のある商品またはサービスの各々の価格を前記中央プロセッサによって決定し、
　前記しるしに関係付けられた前記記憶値が、前記適格性のある商品またはサービスの購入のために十分であるか否かを決定し、前記しるしに関係付けられた前記記憶値が、前記適格性のある商品またはサービスの購入のために十分である場合は、前記適格性のある商品またはサービスの購入に対して前記記憶値を適用することと、
　前記記憶値を用いて購入された適格性のある商品またはサービスの総額を含む情報を、前記ＰＯＳ端末に提供することと、
　を含む、方法。」
２．引用例
（１）　引用例１
　当審の拒絶の理由（平成２８年５月１８日付けの拒絶理由）に引用された米国特許出願公開２００５／０２６１９６８号明細書（以下、「引用例１」という。）には、図面とともに、以下の事項が記載されている（下線は当審が付加した。）。
（ア）「BACKGROUND OF THE INVENTION
[0004] Healthcare costs have become a significant issue for consumers. One approach to addressing the issue had been the creation of 
Medical Savings Accounts or MSAs (sometimes also referred to as Flexible Spending Accounts or Healthcare Spending Accounts) 
[0005] The administrative burden in managing an MSA plan can be high. As an example, a reimbursement form is typically completed by the member and submitted to the plan administrator. The administrator determines the eligibility of the member, the current balance in the member's account, and the eligibility of products or services purchased. If the purchase is eligible, a reimbursement is made to the member. Given the multiple steps involved, significant time and cost are required for each transaction.
[0006] The Internal Revenue Code and regulations issued thereunder govern most aspects of MSAs, including products and services eligible for reimbursement. Systems have been developed to permit the use of debit cards, so that a member can obtain reimbursement (and pay a medical services provider directly) from the account at the time of purchase. The debit card is used at a POS or medical provider terminal to access the member's account, and if there is a sufficient balance in the account, to pay for the product or service at the time of purchase by debiting the account.
[0007] However, many 
products eligible for reimbursement
over-the-counter (OTC) medicines
BRIEF SUMMARY OF THE INVENTION
（中略）
[0009] In some embodiments, 
a method
for settling a transaction involving the purchase of products
[0010] In other embodiments, there is provided a system for conducting sales transaction for items at a merchant location, wherein different products may be eligible for different forms of payment, and wherein the system includes a POS terminal at the merchant location for obtaining product information on each product being sold, and a data system for receiving the product information and determining the payment form for which the product may be eligible. The payment form is then used at the POS terminal to facilitate the sale of the products. In one illustrated embodiment, one form of payment is payment from a debit account, such as a medical savings account (MSA).」
（仮訳：
発明の背景
[0004]ヘルスケアコストは消費者にとって重要な課題となっています。問題に対処する1つのアプローチとして、（雇用者医療制度の対象となる従業員などの）グループのメンバーのために
医療貯蓄口座(Medical Savings Accounts)すなわちMSA（時として、フレキシブル支出アカウント(Flexible Spending Accounts)、あるいは、ヘルスケア支出アカウント(Healthcare Spending Accounts)と呼ばれています。）
[0005]MSAプランを管理する上での管理負担が大きくなることがあります。例えば、払い戻しフォームは、典型的には、メンバーによって記入され、プラン管理者に提出されます。管理者は、会員の資格、会員のアカウントの現在の残高、および購入した製品やサービスの適格性を判断します。当該購入が適格である場合、メンバーへの払い戻しが行われます。関連する複数のステップを考えると、かなりの時間とコストが各取引のために必要とされます。
[0006]内国歳入法(The Internal Revenue Code)および同法に基づく規則により、MSAのほとんどの側面（払い戻し対象として適格な製品やサービスなど）が定められています。デビットカードの使用により、メンバーがアカウントから購入時に払い戻しを受けられる（医療サービスプロバイダが直接支払う）ことを可能とするシステムが開発されてきました。デビットカードをPOSや医療提供者端末で利用することにより、アカウントに十分な残高がある場合に、製品やサービスの代金を購入時にアカウントから引き落とすことができます。
[0007]しかし、このような
店頭（OTC）医薬品などの払い戻し適格性を有する
製品
発明の概要
（中略）
[0009]ある実施態様では、
製品の購入取引を決済する方法
[0010]他の実施態様では、商人の場所で製品の販売取引を行うためのシステムが提供されます。ここで、異なる製品毎に支払処理が異なる形式となることがあります。前記システムは、製品を取得するための商人の場所にPOS端末を含み、さらに、製品情報を受信して、当該製品情報を使用して当該製品のための支払い形式を検索するためのデータシステムを含みんでいます。支払い形式は、次に、製品の販売処理を実行するためにPOS端末で使用されます。 説明される実施態様では、支払い形式は、医療貯蓄口座（MSA）などのデビットアカウントからの支払いです。）
（イ）「DETAILED DESCRIPTION OF THE INVENTION
[0018] There are various embodiments and configurations for implementing the present invention. On such implementation is shown in FIG. 1, where according to one embodiment of the invention, 
a system 100 includes a plurality of point-of-sale (POS) terminals 102 connected to a retail network 104
the retail network 104 may also be connected to a health account network 116, which is maintained by an MSA plan administrator and through which MSA accounts are accessed and used
[0019] Terminals (such as 
the POS terminals 102
such terminals may include
various peripheral devices or functions (e.g., magnetic stripe card reader, optical bar code reader, etc.
[0020] 
When products are taken by a customer to the POS terminal 102, product information or a product ID is entered (e.g., at a keyboard or through use of a bar code scanner). Product information is used to retrieve pricing information (e.g., at a price look-up table within the POS terminal or in a database elsewhere within the retail network 104)
（仮訳：
[0018]本発明を実施するための様々な実施態様および構成があります。このような実施例が図１に示されています。本発明の一実施態様によれば、
システム100は、複数のPOS端末102に接続された小売ネットワーク104を含んでいます
小売ネットワーク104は、（MSAプラン管理者によりメンテナンスされている）ヘルス・アカウント・ネットワーク116に接続され
ヘルス・アカウント・ネットワーク116を介して、MSAアカウントへアクセスされ利用され
[0019]小売や類似の取引を行うために使用される端末（例えば、
POS端末102
は
磁気ストライプカードリーダ、光学式バーコードリーダ等）を含んでいてもよい
[0020]
製品を持った顧客がPOS端末102のところに来ると、製品情報すなわち製品IDが
バーコードスキャナを使用することにより
入力され
製品情報は、価格情報を（例えば、POS端末内の価格ルックアップテーブルで、あるいは、小売ネットワーク104内の他の場所にあるデータベースで）検索するために使用され
（ウ）「[0021] The health network 116 is used for processing information entered at the POS terminals 102 that pertain to insurance and MSA account administration. In particular, 
it is anticipated that a customer uses an MSA card (to be described later in conjunction with FIGS. 2A and 2B) to identify himself and the MSA account
Such information is entered (e.g., by reading a magnetic stripe on the MSA card at one of the POS terminals 102), and is communicated through the retail network 104 to the health network 116
The health network 116 links systems, terminals and databases operated by the MSA administrator, including a database management system or server (DBMS) 120 which manages an associated data store or database 122, and terminals 126. The database 122 stores data (to be described in greater detail later in conjunction with FIG. 4) which may, among other things, identify MSA members, account balances, and product IDs for MSA eligible products
（仮訳：
[0021]ヘルス・ネットワーク116は、POS端末102で入力された情報（保険およびMSAアカウントの管理に関連する情報）を処理するために使用されます。特に、
顧客はMSAカード
を使用することで、自分自身とMSAアカウントを識別されるようになり
MSAカード上の磁気ストライプをPOS端末102で読み取ることによって）入力され
小売ネットワーク104を介して、ヘルス・ネットワーク116に送信され
ヘルス・ネットワーク116は、
サーバ（DBMS）120を含んでいます
DBMSは、関連するデータストアすなわちデータベース122
を管理して
データベース122は、
データを保管しており、このデータにより、MSAメンバー、アカウントの残高、MSAにおいて適格な製品の製品ID等を識別することができます
（エ）「[0025] FIGS. 2A and 2B show the front and back sides, respectively, of a presentation instrument or 
MSA card 150 that could be used by a customer (e.g., as a debit card) when making purchases at one of the POS terminals 102
[0026] 
The card 150 is used to identify the member (as someone covered under an MSA plan), and provide information to the POS terminal 102 in order to verify eligibility and/or settle transactions. One side of the card may be embossed with the member's name 152, an account number 154, and an expiration date 156
[0027] The back side of the card may include a signature line 160, and plan information 162. Plan information may include a group number, a plan administrator phone number, and other similar information. In some embodiments, the card 150 may also serve as an insurance card (as well as an MSA card) and could include information such as deductibles, co-payments, and the like.
[0028] 
The card also includes one or more information encoding features. Information encoding features may include a magnetic stripe 164, a bar code 166, a smart chip (not shown), and the like
（中略）
[0029] In the illustrated embodiment, t
he MSA card number 154 identifies the institution maintaining the MSA account as well as the customer's individual MSA account
[0030] 
The card 150 permits the customer to identify and purchase products that are eligible for MSA reimbursement or payment
after the product ID for each product to be purchased is entered at POS terminal 102, and after member information (MSA account number, etc.) is read from the MSA card at the POS terminal 102, such information is transmitted through retail network 104 and health network 116 to DBMS 120. The DBMS 120 accesses database tables in database 122 that have the member's MSA account information and also information concerning eligible products. The customer is then informed at the POS terminal 102 whether individual purchases are eligible for MSA payment and whether there are sufficient moneys in the MSA account to pay for eligible purchases
[0031] 
FIG. 3 illustrates a screen 310 that could be displayed at one of the POS terminals 102. The screen 310 facilitates the purchase of MSA eligible products by displaying eligible products separately from non-eligible products, and permitting the customer to have purchases made (debited) against the MSA account
the screen 310 displays the purchased products as either regular (non-eligible) purchases 320 or as eligible purchases 322. A regular purchase total 332 as well as a separate MSA eligible total 334 are displayed, and the customer (whose has been identified by accessing database 122 as a member of an MSA plan having a sufficient balance) is
the MSA account is debited and the customer is then responsible for payment (cash, check, credit card, etc.) of other, non-eligible items purchased
[0032] 
In addition to displaying the purchase amount for each eligible product, the screen 310 is seen in FIG. 3 as also displaying a discounted member price
The discounted price may, for example, be negotiated by the MSA administrator (and a retail merchant) as a benefit to members, whereby eligible items may not only be conveniently paid out of the MSA account, but also purchased at a reduced price
（仮訳：
[0025]図2A及び図2Bは、それぞれ、本発明のMSAカード150の表面と裏面を示しています。本発明の一実施態様によれば、
POS端末102
で購入を行う際に、MSAカード150を（例えば、デビットカードとして）使用することができます
[0026]
カード150は、メンバーを識別（すなわち、MSAプランでカバーされているか識別）するために使用され
さらに、適格性を検証して
取引を決済するための情報を、POS端末102に提供するためにも使用され
カードの一方の側は、
アカウント番号154
をエンボス加工して
[0027]カードの裏面には、署名ライン160、およびプラン情報を含んでもよいでしょう。プラン情報には、グループ番号、プラン管理者の電話番号、その他の同様の情報を含んでもよいでしょう。いくつかの実施態様では、カード150は、（MSAカードと同様の）保険証としての役割を果たすことができ、免責金額、共同支払い等の情報を含んでもよいでしょう。
[0028]
カードは、
情報符号化特徴を備え
情報符号化特徴は、磁気ストライプ164、バーコード166、
などを含む
（中略）
[0029]図示した実施態様では、
MSAカード番号154は、顧客の個々のMSAのアカウントだけでなく、MSAアカウントを維持している機関を特定し
[0030]
カード150により、顧客が識別され、MSAの払い戻しや支払いの対象となる製品を特定して購入することが可能になり
購入しようとする各製品の製品IDがPOS端末102に入力され、
MSAアカウント番号
がMSAカードから読み出され
このような情報は、小売ネットワーク104とヘルス・ネットワーク116を介して、DBMS 120に送信され
DBMS 120は、メンバーのMSAのアカウント情報と対象製品に関する情報を有した、データベース122内のデータベーステーブルにアクセスし
顧客は、
個々の購入がMSAの支払いの適格性を有するか、十分なお金がMSAアカウントにあるかどうかをPOS端末102で通知され
[0031]図3は、
POS端末102
に表示される画面310
では、MSAの適格性を有する購入を、適格性を有しない製品とは分離して表示して
顧客は、MSAアカウントからのデビット（引き落とし）支払い購入が可能となって
画面310において、通常（非適格）の購入の320も、適格な購入322も、どちらも表示され
通常（非適格）の購入の合計332と、同様に、分離してMSA適格な合計334が表示され
データベース122にアクセスすることにより、MSAプランのメンバーであり、十分な残高を有することが確認された）顧客は、
MSAアカウントからデビット（引き落とし）支払いが行われ、残りの非適格の商品購入の支払いが（現金、小切手、クレジットカードなどで）行われ
[0032]
各適格性を有する製品の購入金額の表示に加えて、
画面310では、割引されたメンバー価格が表示され
割引価格は、
MSA管理者
によって、メンバーのベネフィットのため交渉されたもの
適格性を有する商品が便利にMSAアカウントから支払われるだけでなく、低価格で購入することもでき
（オ）「[0035] FIG. 4 illustrates in simplified form the content of two database tables within the 
database 122
there are two relational data base tables, a first table 410 containing various kinds of member information and a second table 412 containing various kinds of product information. The table 410 may include
an account number or ID associated with each member account
[0036] As also illustrated in FIG. 4, 
the table 412 stores product information such as a product ID for each product that is MSA eligible, whether a discount is offered (Y/N) to members who purchase the product using their MSA account, and the amount (percentage) of the discount, if any, offered by the merchant.
（仮訳：
[0035]図4は、（ヘルス・ネットワーク116に接続されている）データベース122内の2つのデータベースのテーブルの簡略化された内容を示しています。
データベース122は
2つのリレーショナル・データベース・テーブルがあり、第一のテーブル410は、さまざまな種類のメンバー情報を含んでいます
第二のテーブル412は、さまざまな種類の製品情報を含んでいます
テーブル410は、
各メンバーのアカウントに関連付けられたアカウント番号すなわちIDを含んでいて
アカウント番号は、適格な購入をするために利用可能なアカウントの現在の残高に関連して
[0036]同様に、図4に示されているように、
テーブル412は、MSA適格である各製品の製品ID、MSAアカウントを使用して製品を購入するメンバーに対しての割引提供の有無、および、割引の量（パーセンテージ）などの製品情報を保管しています
（カ）「[0038] The functionality implementing the embodiments described in FIGS. 1 through 4 is largely data and applications resident at the POS terminals 102, and at the DBMS 120, depending on the configuration of the various devices with the system 100. A flow diagram illustrating the program steps implementing some embodiments of the invention is shown in FIG. 5.
[0039] Turning to FIG. 5, when the customer brings products to be purchased to the POS terminal 102, the product ID (e.g., from a bar code) is entered at the POS terminal, step 510, and the terminal accesses, step 514, a price-look up table (either at the POS terminal or within a data system elsewhere within retail network 104) in order to retrieve a price and, if desired, other information such as a product name, etc. The retrieved information is received at the POS terminal, and it may or may not at this point be displayed at the POS terminal, but if it is displayed, it will not yet reflect whether the product is eligible for MSA payment (since MSA information has not been entered). At step 518, 
MSA information is entered at the POS terminal, such as by reading the magnetic stripe 164 on the card 150
The transaction data (e.g., product ID) and the MSA account information (e.g., account number on the card 150) is sent through heath network 116 to the DBMS 120, so that the database 122 may confirm-that the account is present and active (step 522) by comparing the MSA account number against account numbers or IDs in table 410, and may determine whether the balance in the MSA account is sufficient to cover the purchase of eligible products, step 526. If the account is not active or there is insufficient balance, information to that effect is displayed at the terminal 102, step 532. Next, DBMS 120 determines at step 528 which if any of the products being purchased are eligible for purchase under the MSA account by comparing products purchased against the product numbers or IDs in table 412
[0040] If the account is active and has a sufficient balance, then the information in screen 310 seen in FIG. 3 is displayed at POS terminal 102, step 536, in order for the customer to see which products are MSA eligible. The customer elects whether to have the eligible products purchased through the MSA account, at step 540. 
The customer then handles the payment for non-eligible products (or eligible products not being purchased with the MSA account) at step 544, either by paying with cash or check, or using a separate credit or debit card
[0041] It should be appreciated that the flow diagram in FIG. 5 is only one example of a process that could be carried out by application programs within the system 100. Additional steps may be performed, and 
the order of illustrated steps may be changed
heath
health
（仮訳：
[0038]図1〜4に示される実施例では、システム100における様々なデバイスの構成にも依りますが、データとアプリケーションは主としてPOS端末102とDBMS 120に置かれます。本発明のある実施態様を実現するプログラムステップを示すフロー図は、図5に示されています。
[0039]図5に示すように、顧客が製品を購入するためにPOS端末102のところに来ると、プロダクトIDがPOS端末に（例えば、バーコードから）入力されます（ステップ510）。次に、端末が価格ルックアップテーブルに（POS端末内で、または、小売ネットワーク104内のデータシステムで）アクセスして、価格、所望であれば、その他の情報（商品名など）を検索して、検索された情報がPOS端末で受信されます（ステップ514）。検索された情報は、受信された時点で、POS端末に表示しても、しなくてもかまいませんが、もし、表示した場合でも、それはまだ（MSA情報が入力されていないので）製品が、MSAの支払いの適格性を有するかどうかは反映されていません。ステップ518において、
MSA情報が、
カード150の磁気ストライプ164を読み取ることにより、POS端末に入力され
プロダクトID
と、MSAアカウント情報（
カード150上のアカウント番号）は、ヘルス・ネットワーク116を介して、DBMS 120に送信され
テーブル410内のアカウント番号すなわちIDと、MSAアカウント番号を比較することにより、当該アカウントが存在し、かつ、有効であることを確認でき
MSAのアカウントの残高が適格性のある製品の購入をカバーするのに十分かどうか決定します
十分な残高が無かったりした場合には、端末102にその旨の情報が表示されます
DBMS 120は、購入しようとする製品をテーブル412内の製品番号
と比較することにより、購入しようとする製品がMSAアカウントの適格性を有するかどうかを決定し
[0040]アカウントが有効であり、十分な残高を有している場合には、POS端末102において、図3の画面310の情報を表示します（ステップ536）。そうすることで、顧客は、どの製品がMSAの適格性を有しているか参照できます。顧客は、MSAアカウントを通じて適格性を有する製品を購入するかどうか選択します（ステップ540）。
顧客は、さらに、適格性を有していない製品（あるいは、MSAアカウントで購入しないことを選択した適格性を有する製品）の支払いを、現金や、小切手、または、別のクレジットカードあるいはデビットカードを使用して行います
[0041]なお、図5の流れ図は、システム100におけるアプリケーションプログラムによって実行することができるプロセスの一例に過ぎないことが理解されるべきです。追加のステップを実行しても良いし、
図示されたステップの順序を変更してもよい
（キ）「[0043] Further, 
the customer/MSA member need not carry a card. Rather the presentation instrument could be an RFID (radio frequency identification device) which is carried by the customer (e.g., as a key fob) and which electronically transmits MSA account information when passed near a transceiver at the POS terminal
（中略）
[0044] Also, 
it should be appreciated that although the illustrated embodiments describe the sale (or purchase) of products, transactions may involve non-tangible items, such as services (e.g., medical treatment services)
（仮訳：
[0043]さらに、
顧客／MSAメンバーは、カードを持ち歩く必要はありません。その代わりに提示する器具として、RFID（無線周波数識別デバイス）を利用することができます
RFIDは
顧客によって運ばれ、POS端末の受信機の近くを通過すると、電子的にMSAアカウント情報を送信できます
（中略）
[0044]また、
図示された実施態様は、製品の販売（または購入）について記述していますが、取引はサービス（例えば、医療サービス）などの有体物でないものを対象としても含んでもよい
（ク）以上の引用例１の記載（ア）〜（キ）によれば、引用例１には以下の事項を含む発明（以下「引用例１発明」という。）が開示されていると認められる。
「製品の購入取引を決済する方法であって、
製品は、店頭（OTC）医薬品などの払い戻し適格性を有する製品であり、
システム100は、複数のPOS端末102に接続された小売ネットワーク104を含んでおり、
小売ネットワーク104は、（MSAプラン管理者によりメンテナンスされている）ヘルス・アカウント・ネットワーク116に接続され、ヘルス・アカウント・ネットワーク116を介して、MSAアカウントへアクセスされ利用され、
POS端末102は、磁気ストライプカードリーダ、光学式バーコードリーダ等を含んでおり、
製品を持った顧客がPOS端末102のところに来ると、製品情報すなわち製品IDがバーコードスキャナを使用することにより入力され、
製品情報は、価格情報を（例えば、POS端末内の価格ルックアップテーブルで、あるいは、小売ネットワーク104内の他の場所にあるデータベースで）検索するために使用され、
顧客はMSAカードを使用することで、自分自身とMSAアカウントを識別され、
MSAカード上の磁気ストライプをPOS端末102で読み取ることによって入力された情報は、小売ネットワーク104を介して、ヘルス・ネットワーク116に送信され、ヘルス・ネットワーク116は、サーバ（DBMS） 120を含んでおり、DBMSは、関連するデータストアすなわちデータベース122を管理しており、データベース122は、データを保管しており、このデータにより、MSAメンバー、アカウントの残高、MSAにおいて適格な製品の製品ID等を識別することができ、
POS端末102で購入を行う際に、MSAカード150をデビットカードとして使用することができ、
カード150は、メンバーをMSAプランでカバーされているか識別するために使用され、さらに、適格性を検証して取引を決済するための情報を、POS端末102に提供するためにも使用され、
カードの一方の側は、アカウント番号154をエンボス加工しており、
カードは、情報符号化特徴を備えており、情報符号化特徴は、磁気ストライプ164、バーコード166、などを含み、
MSAカード番号154は、顧客の個々のMSAのアカウントだけでなく、MSAアカウントを維持している機関を特定しており、
カード150により、顧客が識別され、MSAの払い戻しや支払いの対象となる製品を特定して購入することが可能になり、
購入しようとする各製品の製品IDがPOS端末102に入力され、MSAアカウント番号がMSAカードから読み出され、このような情報は、小売ネットワーク104とヘルス・ネットワーク116を介して、DBMS 120に送信され、DBMS 120は、メンバーのMSAのアカウント情報と対象製品に関する情報を有した、データベース122内のデータベーステーブルにアクセスし、
データベース122は、2つのリレーショナル・データベース・テーブルがあり、第一のテーブル410は、各メンバーのアカウントに関連付けられたアカウント番号を含んでおり、アカウント番号は、適格な購入をするために利用可能なアカウントの現在の残高に関連しており、第二のテーブル412は、MSA適格である各製品の製品ID、MSAアカウントを使用して製品を購入するメンバーに対しての割引提供の有無、および、割引の量（パーセンテージ）などの製品情報を保管しており、
MSA情報が、カード150の磁気ストライプ164を読み取ることにより、POS端末に入力され、プロダクトIDと、MSAアカウント情報（カード150上のアカウント番号）は、ヘルス・ネットワーク116を介して、DBMS 120に送信され、
データベース122は、テーブル410内のアカウント番号と、MSAアカウント番号を比較することにより、当該アカウントが存在し、かつ、有効であることを確認でき、MSAのアカウントの残高が適格性のある製品の購入をカバーするのに十分かどうか決定し、
DBMS 120は、購入しようとする製品をテーブル412内の製品番号と比較することにより、購入しようとする製品がMSAアカウントの適格性を有するかどうかを決定し、
顧客は、個々の購入がMSAの支払いの適格性を有するか、十分なお金がMSAアカウントにあるかどうかをPOS端末102で通知され、
POS端末102に表示される画面310では、MSAの適格性を有する購入を、適格性を有しない製品とは分離して表示しており、
顧客は、MSAアカウントからのデビット（引き落とし）支払い購入が可能となり、
画面310において、通常（非適格）の購入の320も、適格な購入322も、どちらも表示され、通常（非適格）の購入の合計332と、同様に、分離してMSA適格な合計334が表示され、
各適格性を有する製品の購入金額の表示に加えて、画面310では、割引されたメンバー価格が表示され、割引価格は、MSA管理者によって、メンバーのベネフィットのため交渉されたものであり、適格性を有する商品が便利にMSAアカウントから支払われるだけでなく、低価格で購入することもでき、
データベース122にアクセスすることにより、MSAプランのメンバーであり、十分な残高を有することが確認された顧客は、MSAアカウントからデビット（引き落とし）支払いが行われ、残りの非適格の商品購入の支払いが（現金、小切手、クレジットカードなどで）行われる
方法」
２．対比
（１）そこで、本願発明と引用例１発明とを対比する。
（ア）引用例１発明と本願発明とは、POSにおいて医薬品に対する支払いを行う共通の技術分野に属し、適格性のある商品の購入を容易化するという点で、課題が共通しているといえる。
（イ）引用例１発明の「製品」、「MSAカード」の「磁気ストライプ164を読み取ることにより、POS端末に入力され」た「MSAアカウント情報（カード150上のアカウント番号）」、「製品の製品ID」「アカウントの残高」は、本願発明の「商品」、「しるし」、「商品の識別子」「記憶値」に、それぞれ、相当している。
　引用例１発明は、製品の購入取引を決済する方法であるから、引用例１発明と本願発明とは、商品の購入取引を実行する方法である点で共通しているといえる。
　しかし、本願発明の方法は、商品またはサービスの購入取引を対象としているのに対し、引用例１発明の方法では、商品の購入取引のみを対象としている点で相違している。
（ウ）引用例１発明の「製品」は、店頭（OTC）医薬品などの払い戻し適格性を有する製品であるから、引用例１発明と本願発明とは、商品に、適格性のある商品を含んでいる点で共通しているといえる。
　しかし、本願発明の方法は、適格性のある商品だけでなく適格性のあるサービスの購入取引も対象としているのに対し、引用例１発明の方法では、適格性のあるサービスの購入取引を対象としていない点で相違している。
（エ）引用例１発明の方法において、「POS端末102で購入を行う際に、MSAカード150をデビットカードとして使用することができ」、「MSA情報が、カード150の磁気ストライプ164を読み取ることにより、POS端末に入力され」、「MSAアカウント情報（カード150上のアカウント番号）は、ヘルス・ネットワーク116を介して、DBMS 120に送信され」、「DBMS 120は、メンバーのMSAのアカウント情報と対象製品に関する情報を有した、データベース122内のデータベーステーブルにアクセスし、データベース122は、2つのリレーショナル・データベース・テーブルがあり、第一のテーブル410は、各メンバーのアカウントに関連付けられたアカウント番号を含んでおり、アカウント番号は、適格な購入をするために利用可能なアカウントの現在の残高に関連して」おり、「顧客は、MSAアカウントからのデビット（引き落とし）支払い購入が可能」である。
　ここで「POS端末」は、ポイントオブセール（販売時点）において、小売業者によって使用される端末であり、「MSAカード150をデビットカードとして使用する」際には、「MSAカード150を」小売業者に提示する必要があり、引用例１発明の「カード150の磁気ストライプ164を読み取ることにより、POS端末に入力され」た「MSAアカウント情報（カード150上のアカウント番号）」は、本願発明の「しるし」に相当しているから、引用例１発明の「POS端末102で購入を行う際に」、「デビットカードとして使用することができる」「MSAカード」の「磁気ストライプ164を読み取ることにより、POS端末に入力され」た「MSAアカウント情報（カード150上のアカウント番号）」は、本願発明の「ポイントオブセールにおいて購入者によって提示されたしるし」に相当しているといえる。
　また、引用例１発明では、「MSA情報が、カード150の磁気ストライプ164を読み取ることにより、POS端末に入力され」、「MSAアカウント情報（カード150上のアカウント番号）は、ヘルス・ネットワーク116を介して、DBMS 120に送信され」、「DBMS 120は、メンバーのMSAのアカウント情報と対象製品に関する情報を有した、データベース122内のデータベーステーブルにアクセスし、データベース122は、2つのリレーショナル・データベース・テーブルがあり、第一のテーブル410は、各メンバーのアカウントに関連付けられたアカウント番号を含んでおり、アカウント番号は、適格な購入をするために利用可能なアカウントの現在の残高に関連して」おり、引用例１発明の「アカウントの現在の残高」は、本願発明の「記憶値」に相当しているから、引用例１発明の「MSAカード」の「磁気ストライプ164を読み取ることにより、POS端末に入力され」た「MSAアカウント情報（カード150上のアカウント番号）」も、本願発明の「しるし」と同様に、「記憶値」（アカウントの現在の残高）に関係づけられているといえる。
　そして、引用例１発明の方法において、「POS端末102で購入を行う際に、MSAカード150をデビットカードとして使用することができ」、「顧客は、MSAアカウントからのデビット（引き落とし）支払い購入が可能」であるから、本願発明と同様に、資金供給されているといえる。
　したがって、引用例１発明と本願発明とは、購入取引は、ポイントオブセールにおいて購入者によって提示されたしるしに関係付けられた記憶値によって、少なくとも部分的に資金供給される点で共通しているといえる。
（オ）引用例１発明の方法において、「POS端末102で購入を行う際に、MSAカード150をデビットカードとして使用することができ」、「アカウント番号は、適格な購入をするために利用可能なアカウントの現在の残高に関連しており、」「顧客は、MSAアカウントからのデビット（引き落とし）支払い購入が可能」である。
　ここで、引用例１発明の「アカウントの残高」、「適格な購入」、「デビット（引き落とし）支払い」は、それぞれ、本願発明の「記憶値」、「適格性のある商品の購入支払い購入が可能」、「引き換え可能」に相当している。
　したがって、引用例１発明と本願発明とは、記憶値は、適格性のある商品の購入に対して引き換え可能である点で共通している。
　しかし、本願発明の方法は、商品またはサービスの購入に対して引き替え可能であるのに対し、引用例１発明の方法では、商品の購入に対して引き替え可能である点で相違している。
（カ）引用例１発明において、「POS端末102で購入を行う際に、MSAカード150をデビットカードとして使用することができ」、「MSAカード上の磁気ストライプをPOS端末102で読み取ることによって入力された情報は、小売ネットワーク104を介して、ヘルス・ネットワーク116に送信され、ヘルス・ネットワーク116は、サーバ（DBMS） 120を含んで」おり、「顧客は、MSAアカウントからのデビット（引き落とし）支払い購入が可能」である。
　ここで、ＰＯＳ端末はポイントオブセール端末の略語であり、ネットワークを介した通信は「選択的な通信」であるといえ、サーバ（DBMS） 120は、データを処理する「プロセッサ」（処理装置）であり、末端のＰＯＳ端末から見れば「中央プロセッサ」であるといえる。
　したがって、引用例１発明と本願発明とは、ポイントオブセール（「ＰＯＳ」）端末と選択的な通信をする中央プロセッサによって取引を行っている点で共通している。
（キ）引用例１発明において、「データベース122は、2つのリレーショナル・データベース・テーブルがあり、第一のテーブル410は、各メンバーのアカウントに関連付けられたアカウント番号を含んでおり、アカウント番号は、適格な購入をするために利用可能なアカウントの現在の残高に関連しており、第二のテーブル412は、MSA適格である各製品の製品ID、MSAアカウントを使用して製品を購入するメンバーに対しての割引提供の有無、および、割引の量（パーセンテージ）などの製品情報を保管して」おり、「MSAアカウント情報（カード150上のアカウント番号）は、ヘルス・ネットワーク116を介して、DBMS 120に送信され、データベース122は、テーブル410内のアカウント番号と、MSAアカウント番号を比較することにより、当該アカウントが存在し、かつ、有効であることを確認でき」るとされている。
　ここで、引用例１発明の「データベース122」、「MSAアカウント情報（カード150上のアカウント番号）」、「MSA適格である各製品の製品ID」は、それぞれ、本願発明の「データベース」、「しるし」、「適格性のある商品とに関係付けられた記録」に相当している。
　したがって、引用例１発明と本願発明とは、データベースは、しるしと、適格性のある商品の記録を含んでいる点で共通している。
　しかし、本願発明の方法は、しるしが適格性のある商品またはサービスの記録に関連付けられているのに対し、引用例１発明の方法では、しるしが適格性のある商品またはサービスの記録に関連付けられていない点で相違している。
（ク）引用例１発明において、「購入しようとする各製品の製品IDがPOS端末102に入力され、MSAアカウント番号がMSAカードから読み出され、このような情報は、小売ネットワーク104とヘルス・ネットワーク116を介して、DBMS 120に送信され」、つまり「MSA情報が、カード150の磁気ストライプ164を読み取ることにより、POS端末に入力され、プロダクトIDと、MSAアカウント情報（カード150上のアカウント番号）は、ヘルス・ネットワーク116を介して、DBMS 120に送信され」、「アカウント番号は、適格な購入をするために利用可能なアカウントの現在の残高に関連して」いる。
　ここで、引用例１発明の「購入しようとする各製品の製品ID」が本願発明の「購入のために選択された商品の識別子」に相当する。
　さらに、引用例１発明の「アカウントの現在の残高」、「カード150の磁気ストライプ164」から読み取られた「MSAアカウント情報（カード150上のアカウント番号）」が、それぞれ、本願発明の「記憶値」、「しるし」に相当しているから、引用例１発明の「アカウントの現在の残高」に関連している「カード150の磁気ストライプ164」から読み取られた「MSAアカウント情報（カード150上のアカウント番号）」は、本願発明の「記憶値に関係付けられたしるし」に相当している。
　また、引用例１発明の「POS端末102」、「DBMS 120」は、それぞれ、本願発明の「ＰＯＳ端末」、「中央プロセッサ」に相当している。
　したがって、引用例１発明と本願発明とは、購入のために選択された商品の識別子と、記憶値に関係付けられたしるしとを含む購入通信を、ＰＯＳ端末から、中央プロセッサにおいて受信している点で共通している。
　しかし、本願発明は、購入のために選択された商品またはサービスの識別子を受信しているのに対し、引用例１発明では、購入のために選択された商品の識別子を受信している点で相違している。
（ケ）引用例１発明では、「MSAアカウント情報（カード150上のアカウント番号）は、ヘルス・ネットワーク116を介して、DBMS 120に送信され」、「テーブル410内のアカウント番号と、MSAアカウント番号を比較することにより、当該アカウントが存在し、かつ、有効であることを確認でき」る。
　ここで、引用例１発明の「MSAアカウント情報（カード150上のアカウント番号）」は、本願発明の「しるし」に相当している。
　したがって、引用例１発明と本願発明とは、しるしが有効であるか否かを決定している点で共通している。
（コ）引用例１発明では、「DBMS 120は、購入しようとする製品をテーブル412内の製品番号と比較することにより、購入しようとする製品がMSAアカウントの適格性を有するかどうかを決定し」ており、「データベース122は、2つのリレーショナル・データベース・テーブルがあり、第一のテーブル410は、各メンバーのアカウントに関連付けられたアカウント番号を含んでおり、アカウント番号は、適格な購入をするために利用可能なアカウントの現在の残高に関連しており、第二のテーブル412は、MSA適格である各製品の製品ID、MSAアカウントを使用して製品を購入するメンバーに対しての割引提供の有無、および、割引の量（パーセンテージ）などの製品情報を保管して」いる。
　ここで、引用例１発明の「購入しようとする製品」、「製品番号」、「MSAアカウントの適格性を有する」は、それぞれ、本願発明の「購入のために選択された商品」、「識別子」、「適格性のある」に相当する。
　また、引用例１発明の「データベース122」は、本願発明の「データベース」に対応する。
　したがって、引用例１発明と本願発明とは、購入のために選択された商品が、識別子のうちの１つ以上が適格性のある商品としてデータベースにおいて決定することによって、前記識別子のうちの１つ以上に少なくとも部分的に基づいて、適格性のある商品を含むか否かを決定している点で共通しているといえる。
　しかし、本願発明の方法は、適格性のある商品を含むか否かを決定する際に、識別子のうちの１つ以上が適格性のある商品としてデータベースにおいてしるしに関係付けられているか否かを決定することにより行っているのに対し、引用例１発明の方法では、識別子のうちの１つ以上が適格性のある商品としてデータベースにおいてしるしに関係付けられているか否かを決定していない点で相違している。
　また、本願発明の方法は、適格性のある商品だけでなく適格性のあるサービスを含むか否かを決定しているのに対し、引用例１発明の方法では、適格性のあるサービスを含むか否かを決定してない点で相違している。
（サ）引用例１発明では、「画面310において、通常（非適格）の購入の320も、適格な購入322も、どちらも表示され、通常（非適格）の購入の合計332と、同様に、分離してMSA適格な合計334が表示され」、「各適格性を有する製品の購入金額の表示に加えて、画面310では、割引されたメンバー価格が表示され、割引価格は、MSA管理者によって、メンバーのベネフィットのため交渉されたものであり、適格性を有する商品が便利にMSAアカウントから支払われるだけでなく、低価格で購入することもでき」る。
　また、引用例１発明では、「製品を持った顧客がPOS端末102のところに来ると、製品情報すなわち製品IDがバーコードスキャナを使用することにより入力され、製品情報は、価格情報を（例えば、POS端末内の価格ルックアップテーブルで、あるいは、小売ネットワーク104内の他の場所にあるデータベースで）検索するために使用され」、「購入しようとする各製品の製品IDがPOS端末102に入力され、MSAアカウント番号がMSAカードから読み出され、このような情報は、小売ネットワーク104とヘルス・ネットワーク116を介して、DBMS 120に送信され、DBMS 120は、メンバーのMSAのアカウント情報と対象製品に関する情報を有した、データベース122内のデータベーステーブルにアクセスし、データベース122は、2つのリレーショナル・データベース・テーブルがあり、第一のテーブル410は、各メンバーのアカウントに関連付けられたアカウント番号を含んでおり、アカウント番号は、適格な購入をするために利用可能なアカウントの現在の残高に関連しており、第二のテーブル412は、MSA適格である各製品の製品ID、MSAアカウントを使用して製品を購入するメンバーに対しての割引提供の有無、および、割引の量（パーセンテージ）などの製品情報を保管して」いる。
　つまり、引用例１発明では、「各適格性を有する製品の購入金額」つまり通常の小売価格に加えて、「割引されたメンバー価格が表示され」ており、この「割引されたメンバー価格」は、「データベース122」内の「第二のテーブル412」に保管されている「MSA適格である各製品の製品ID、MSAアカウントを使用して製品を購入するメンバーに対しての割引提供の有無、および、割引の量（パーセンテージ）などの製品情報」に基づいて決定されている。「割引されたメンバー価格」は、「各適格性を有する製品の購入金額」つまり通常の小売価格に、「割引の量（パーセンテージ）」を掛け合わせて、決定（割引価格計算）されているといえる。ただし、この決定（割引価格計算）を行っている主体が、POS端末102なのか、DBMS 120なのかは不明である。
　ここで、引用例１発明の「各適格性を有する製品」の「割引されたメンバー価格」が、本願発明の「適格性のある商品の価格」に相当している。
　さらに、引用例１発明では、「画面310において、通常（非適格）の購入の320も、適格な購入322も、どちらも表示され、通常（非適格）の購入の合計332と、同様に、分離してMSA適格な合計334が表示され」ており、図３を参照すると、「ＥＬＩＧＩＢＬＥ　ＴＯＴＡＬ334」（「MSA適格な合計334」）は、「ＭＥＭＢＥＲ　ＰＲＩＣＥ　＄１．５９」346（「割引されたメンバー価格」）および「ＭＥＭＢＥＲ　ＰＲＩＣＥ　＄２．９９」348の合計金額「＄４．５８」334になっている。
　ここで、引用例１発明の「MSA適格な合計334」が、本願発明の「適格性のある商品の購入のために要求される額を合計」したものに、相当している。
　したがって、引用例１発明と本願発明とは、購入のために選択された商品が、適格性のある商品を含む場合は、前記適格性のある商品の各々の価格を決定し、前記適格性のある商品の購入のために要求される額を合計している点で共通しているといえる。
　しかし、本願発明の方法は、適格性のある商品またはサービスの価格を決定し、適格性のある商品またはサービスの購入のために要求される額を合計しているのに対し、引用例１発明の方法では、適格性のあるサービスの価格を決定しておらず、適格性のあるサービスの購入のために要求される額を合計していない点で相違している。
　また、本願発明の方法は、適格性のある商品の価格を決定する際に、中央プロセッサによって決定しているのに対し、引用例１発明の方法では、適格性のある商品の価格を決定する主体が不明である点で相違している。
（シ）引用例１発明では、「カード150の磁気ストライプ164を読み取ることにより、POS端末に入力され」た「MSAアカウント情報（カード150上のアカウント番号）」が「DBMS 120に送信され」、「テーブル410内のアカウント番号と、MSAアカウント番号を比較することにより、当該アカウントが存在し、かつ、有効であることを確認でき、MSAのアカウントの残高が適格性のある製品の購入をカバーするのに十分かどうか決定し」いる。
　ここで、引用例１発明の「MSAアカウント情報（カード150上のアカウント番号）」に対応する「MSAのアカウントの残高」が、本願発明の「しるしに関係付けられた記憶値」に相当し、引用例１発明の「適格性のある製品の購入をカバーするのに十分かどうか決定」することが、本願発明の「適格性のある商品の購入のために十分であるか否かを決定」することに相当している。
　さらに、引用例１発明では、「データベース122にアクセスすることにより、MSAプランのメンバーであり、十分な残高を有することが確認された顧客は、MSAアカウントからデビット（引き落とし）支払いが行われ」る。
　ここで、引用例１発明の（「MSAアカウント情報（カード150上のアカウント番号）」に対応する「MSAのアカウントの残高」が）「十分な残高を有することが確認された」場合が、本願発明の「しるしに関係付けられた記憶値が、適格性のある商品購入のために十分である場合」に相当し、引用例１発明の「MSAアカウントからデビット（引き落とし）支払いが行われ」ることが、本願発明の「適格性のある商品の購入に対して記憶値を適用すること」に相当している。
　したがって、引用例１発明と本願発明とは、しるしに関係付けられた記憶値が、適格性のある商品の購入のために十分であるか否かを決定し、しるしに関係付けられた記憶値が、適格性のある商品の購入のために十分である場合は、適格性のある商品の購入に対して記憶値を適用している点で共通しているといえる。
　しかし、本願発明の方法は、適格性のある商品またはサービスの購入に対して記憶値を適用しているのに対し、引用例１発明の方法では、適格性のあるサービスの購入に対して記憶値を適用していない点で相違している。
（ス）引用例１発明では、「DBMS 120は、購入しようとする製品をテーブル412内の製品番号と比較することにより、購入しようとする製品がMSAアカウントの適格性を有するかどうかを決定し、顧客は、個々の購入がMSAの支払いの適格性を有するか、十分なお金がMSAアカウントにあるかどうかをPOS端末102で通知され、POS端末102に表示される画面310では、MSAの適格性を有する購入を、適格性を有しない製品とは分離して表示しており、画面310において、通常（非適格）の購入の320も、適格な購入322も、どちらも表示され、通常（非適格）の購入の合計332と、同様に、分離してMSA適格な合計334が表示され」、「データベース122にアクセスすることにより、MSAプランのメンバーであり、十分な残高を有することが確認された顧客は、MSAアカウントからデビット（引き落とし）支払いが行われ」る。
　ここで、引用例１発明の「MSAアカウントからデビット（引き落とし）支払いが行われ」る「MSA適格な合計334」は、本願発明の「記憶値を用いて購入された適格性のある商品の総額」に相当している。さらに、引用例１発明の「個々の購入がMSAの支払いの適格性を有するか、十分なお金がMSAアカウントにあるかどうかをPOS端末102で通知」することが、本願発明の「情報を、ＰＯＳ端末に提供すること」に相当している。
　したがって、引用例１発明と本願発明とは、記憶値を用いて購入された適格性のある商品の総額を含む情報を、ＰＯＳ端末に提供している点で共通しているといえる。
　しかし、本願発明の方法は、適格性のある商品またはサービスの総額を含む情報を、ＰＯＳ端末に提供しているのに対し、引用例１発明の方法では、適格性のあるサービスの総額を含む情報を、ＰＯＳ端末に提供していない点で相違している。
（２）一致点、相違点
　　上記（１）の（ア）〜（ス）によれば、両者は、以下の点で一致し、また相違している。
［一致点］
「商品の購入取引を実行する方法において、
　前記商品は、適格性のある商品を含み、
　前記購入取引は、ポイントオブセールにおいて購入者によって提示されたしるしに関係付けられた記憶値によって、少なくとも部分的に資金供給され、
　前記記憶値は、前記適格性のある商品の購入に対して引き換え可能であり、
前記方法では、前記ポイントオブセール（「ＰＯＳ」）端末と選択的な通信をする中央プロセッサによって取引が行われ、
データベースは、しるしと、適格性のある商品の記録を含み、
前記方法は、
　　購入のために選択された商品の識別子と、
　　前記記憶値に関係付けられた前記しるしと、
　を含む購入通信を、前記ＰＯＳ端末から、前記中央プロセッサにおいて受信することと、
　前記しるしが有効であるか否かを決定することと、
購入のために選択された商品が、識別子のうちの１つ以上が適格性のある商品としてデータベースにおいて決定することによって、前記識別子のうちの１つ以上に少なくとも部分的に基づいて、適格性のある商品を含むか否かを決定し、
購入のために選択された商品が、適格性のある商品を含む場合は、前記適格性のある商品の各々の価格を決定し、前記適格性のある商品の購入のために要求される額を合計することと、
　前記しるしに関係付けられた前記記憶値が、前記適格性のある商品の購入のために十分であるか否かを決定し、前記しるしに関係付けられた前記記憶値が、前記適格性のある商品の購入のために十分である場合は、前記適格性のある商品の購入に対して前記記憶値を適用することと、
　前記記憶値を用いて購入された適格性のある商品の総額を含む情報を、前記ＰＯＳ端末に提供することと、
を含む、方法。」
［相違点１］本願発明の方法は、商品またはサービスの購入取引を対象としているのに対し、引用例１発明の方法では、商品の購入取引のみを対象としている点。
［相違点２］本願発明の方法は、データベースにおいて、しるしが適格性のある商品またはサービスの記録に関連付けられており、購入のために選択された商品が適格性のある商品を含むか否かを決定する際に、識別子のうちの１つ以上が適格性のある商品としてデータベースにおいてしるしに関係付けられているか否かを決定することによって行っているのに対し、引用例１発明の方法では、データベースにおいて、しるしが適格性のある商品またはサービスの記録に関連付けられておらず、購入のために選択された商品が識別子のうちの１つ以上が適格性のある商品としてデータベースにおいてしるしに関係付けられているか否かを決定していない点。
［相違点３」本願発明の方法は、適格性のある商品の各々の価格を決定する際に、中央プロセッサによって決定しているのに対し、引用例１発明の方法では、適格性のある商品の各々の価格を決定する主体が不明である点。
３．判断
［相違点１について］
　引用例１の段落[0044]には、「図示された実施態様は、製品の販売（または購入）について記述していますが、取引はサービス（例えば、医療サービス）などの有体物でないものを対象としても含んでもよい」と記載されている。
　したがって、引用例１発明においても、本願発明と同様に、商品またはサービスの購入を対象とする構成とすることは、当業者が本願の優先日前に容易に想到し得たものである。
［相違点２について］
　引用例１の段落[0004]に「医療貯蓄口座(Medical Savings Accounts)すなわちMSA（時として、フレキシブル支出アカウント(Flexible Spending Accounts)、あるいは、ヘルスケア支出アカウント(Healthcare Spending Accounts)と呼ばれています。）」と記載されているように、引用例１発明は、狭い意味の「医療貯蓄口座(Medical Savings Accounts)すなわちMSA」だけでなく、「フレキシブル支出アカウント(Flexible Spending Accounts)、あるいは、ヘルスケア支出アカウント(Healthcare Spending Accounts)」も対象としている。
　ここで、米国特許公開公報US2006/0036523A1の段落[0004]〜[0018]にも「Dsecription of the Background」として記載されているように、米国で「ヘルスケア支出アカウント(Healthcare Spending Accounts)」という表現は、内国歳入法第１２５条に規定された「フレキシブル支出アカウント(Flexible Spending Accounts)すなわちFSA」、内国歳入法第４０８条（ｎ）に規定された「健康貯蓄アカウント(Health Savings Accounts)すなわちHSA」および「健康払い戻し口座(Health Reinmbursement Accounts)すなわちHRA」という３種類の制度の総称として用いられている。
　さらに、これらの互いに類似する制度は、適格となる医薬品や医療サービスが内国歳入庁の規定により異なっており、特に、「健康払い戻し口座(Health Reinmbursement Accounts)すなわちHRA」では、内国歳入庁が定めた適格な医薬品や医療サービスの範囲を企業の雇用主が任意に狭めて、従業員に福利厚生プランとして提供することが知られている（例えば、米国特許公開公報US2006/00113376A1の段落[0031]〜[0032]参照。）。
　そして、どのプラン(FSAか、HSAか、HRA)に加入するかは、従業者が選択可能であり、加入したプラン(FSAか、HSAか、HRA)によって、適格な医薬品や医療サービスの範囲が異なることとなる。
　引用例１発明の方法では、データベース122は、2つのリレーショナル・データベース・テーブルがあり、第一のテーブル410は、各メンバーのアカウントに関連付けられたアカウント番号を含んでおり、アカウント番号は、適格な購入をするために利用可能なアカウントの現在の残高に関連しており、第二のテーブル412は、MSA適格である各製品の製品ID、MSAアカウントを使用して製品を購入するメンバーに対しての割引提供の有無、および、割引の量（パーセンテージ）などの製品情報を保管している。
　引用例１の段落[0035]には「第一のテーブル410は、さまざまな種類のメンバー情報を含んでいます。第二のテーブル412は、さまざまな種類の製品情報を含んでいます。」と記載されているから、引用例１発明の方法において、MSAプランの種類(FSA、HSA、HRA)に応じた適格性のある商品またはサービスの決定を行うために、MSAプランのメンバーが加入しているプランの種類(FSA、HSA、HRA)を、メンバー情報の一種として、第一のテーブル410に格納しておき、第二のテーブル412を複数種類(FSA、HSA、HRA)毎に用意しておき、MSAカードから読み取られたMSAアカウント情報（本願発明の「しるし」に相当）を用いて、第１のテーブルを検索して、MSAプランの当該メンバーが加入しているプランの種類(FSA、HSA、HRA)を第一のテーブル410のメンバー情報を参照することで特定して、当該プラン(FSA、HSA、HRA)に対応する（関連付けられた）第二のテーブル412を用いて当該プラン(FSA、HSA、HRA)の種類でカバーしている適格性のある商品またはサービスの決定を行う構成を採用することは、当業者が本願の優先日前に容易に想到し得たものである。
　したがって、引用例１発明においても、本願発明と同様に、適格性のある商品を含むか否かを決定する際に、データベースにおいて、しるしが適格性のある商品またはサービスの記録に関連付けられており、購入のために選択された商品またはサービスが識別子のうちの１つ以上が適格性のある商品またはサービスとしてデータベースにおいてしるしに関係付けられているか否かを決定することによって行う構成することは、当業者が本願の優先日前に容易に想到し得たものである。
［相違点３について］
　引用例１発明では、上記（１）（サ）で述べたように、「各適格性を有する製品の購入金額」つまり通常の小売価格に加えて、「割引されたメンバー価格が表示され」ており、この「割引されたメンバー価格」は、「データベース122」内の「第二のテーブル412」に保管されている「MSA適格である各製品の製品ID、MSAアカウントを使用して製品を購入するメンバーに対しての割引提供の有無、および、割引の量（パーセンテージ）などの製品情報」に基づいて決定されている。「割引されたメンバー価格」は、「各適格性を有する製品の購入金額」つまり通常の小売価格に、「割引の量（パーセンテージ）」を掛け合わせて、決定（割引価格計算）されているといえる。
　さらに、引用例１発明では、「画面310において、通常（非適格）の購入の320も、適格な購入322も、どちらも表示され、通常（非適格）の購入の合計332と、同様に、分離してMSA適格な合計334が表示され」ており、図３を参照すると、「ＥＬＩＧＩＢＬＥ　ＴＯＴＡＬ334」（「MSA適格な合計334」）は、「ＭＥＭＢＥＲ　ＰＲＩＣＥ　＄１．５９」346（「割引されたメンバー価格」）および「ＭＥＭＢＥＲ　ＰＲＩＣＥ　＄２．９９」348の合計金額「＄４．５８」334になっている。
　そして、引用例１発明では、「データベース122は、テーブル410内のアカウント番号と、MSAアカウント番号を比較することにより、当該アカウントが存在し、かつ、有効であることを確認でき、MSAのアカウントの残高が適格性のある製品の購入をカバーするのに十分かどうか決定し」ている。
　つまり、引用例１発明では、「各適格性を有する製品」の「割引されたメンバー価格」の合計金額を「MSAのアカウントの残高」と比較することにより「MSAのアカウントの残高が適格性のある製品の購入をカバーするのに十分かどうか決定し」ているといえる。
　引用例１発明では、「各適格性を有する製品の購入金額」つまり通常の小売価格を「価格情報を（例えば、POS端末内の価格ルックアップテーブルで、あるいは、小売ネットワーク104内の他の場所にあるデータベースで）検索」しているが、「割引されたメンバー価格」を求めるための「割引の量（パーセンテージ）」は、「データベース122」内の「第二のテーブル412」に保管されており、「購入しようとする製品をテーブル412内の製品番号と比較することにより、購入しようとする製品がMSAアカウントの適格性を有するかどうかを決定」する処理、「MSAのアカウントの残高が適格性のある製品の購入をカバーするのに十分かどうか決定」する処理は、いずれも、「DBMS 120」（本願発明の「中央プロセッサ」に相当）が実行している。
　そして、「割引されたメンバー価格」を決定（割引価格計算）する処理は、「購入しようとする製品をテーブル412内の製品番号と比較することにより、購入しようとする製品がMSAアカウントの適格性を有するかどうかを決定」する処理と、「MSAのアカウントの残高が適格性のある製品の購入をカバーするのに十分かどうか決定」する処理の間に実行される処理に他ならない。
　よって、引用例１発明において、「割引されたメンバー価格」を決定（割引価格計算）する（適格性のある商品の各々の価格を決定する）処理を、その前後に実行される処理である「購入しようとする製品をテーブル412内の製品番号と比較することにより、購入しようとする製品がMSAアカウントの適格性を有するかどうかを決定」する処理と、「MSAのアカウントの残高が適格性のある製品の購入をカバーするのに十分かどうか決定」する処理とを実行している「DBMS 120」（本願発明の「中央プロセッサ」に相当）に実行させるよう構成することは、当業者が、本願の優先日前に容易に想到し得たものである。
　したがって、引用例１発明においても、本願発明と同様に、適格性のある商品の各々の価格を決定する際に、中央プロセッサによって決定する構成とすることは、当業者が本願の優先日前に容易に想到し得たものである。
　また、本願発明の効果についてみても、上記構成の採用に伴って、当然に予測される程度のものに過ぎず、格別顕著なものがあるとは認められない。
第４ むすび
　以上のとおり、本願発明は、引用例１に記載された発明に基づいて、当業者が容易に発明をすることができたものであるから、特許法第２９条第２項の規定により特許を受けることができない。
　したがって、その余の請求項に係る発明について論及するまでもなく、本願は拒絶すべきものである。
　よって、結論のとおり審決する。